(57)【特許請求の範囲】
【請求項１】
搬送される用紙にインクを吐出するインクジェット記録装置であって、
用紙の搬送方向に沿って配置され用紙にインクを吐出する複数の記録ヘッドと、
用紙を前記複数の記録ヘッドに対向させつつ搬送する用紙搬送部と、
複数の前記記録ヘッドのそれぞれの用紙搬送方向下流側に配置され、前記記録ヘッド近傍の空気を吸引するとともに吸引した空気を前記用紙搬送部によって搬送される用紙に送る乾燥装置と、を備え、
前記乾燥装置は、
前記用紙に送る空気を加熱するためのヒータと、
前記用紙の搬送方向と交差する方向である用紙幅方向に延びるとともに少なくとも用紙と対向する底部に開口を有するケースと、
前記ケースの上部に配置され、下方の空気を吸引するとともに吸引した空気を下方に送りだすファンと、を有し、
前記ヒータは、前記ケースの内部において、前記用紙幅方向に延びるとともに、前記ケース内部の空間を用紙搬送方向の下流側と上流側に区切るように配置されたプレート状の部材であり、
前記ファンにより吸引された空気は前記ヒータの一方側を流れ、送り出された空気は前記ヒータの他方側を流れる
インクジェット記録装置。
【請求項２】
搬送される用紙にインクを吐出するインクジェット記録装置であって、
用紙の搬送方向に沿って配置され用紙にインクを吐出する複数の記録ヘッドと、
用紙を前記複数の記録ヘッドに対向させつつ搬送する用紙搬送部と、
複数の前記記録ヘッドのそれぞれの用紙搬送方向下流側に配置され、前記記録ヘッド近傍の空気を吸引するとともに吸引した空気を前記用紙搬送部によって搬送される用紙に送る乾燥装置と、を備え、
前記乾燥装置は、
前記用紙に送る空気を加熱するためのヒータと、
前記用紙の搬送方向と交差する方向である用紙幅方向に延びるとともに少なくとも用紙と対向する底部に開口を有した第１導入部と、前記第１導入部の上部に配置され前記第１導入部の内部空間とは複数の孔により連通する空間を有する第２導入部と、用紙に対して空気を送りだすための導出部と、を有するケースと、
前記ケースの用紙幅方向の端部に配置され、前記第１及び第２導入部を通じて空気を吸引するとともに、前記導出部を介して用紙に空気を送りだすファンと、を有し、
前記ヒータは、前記ケースの内部において、前記ファンと前記導出部との間に配置されている
インクジェット記録装置。
【請求項３】
前記ヒータは下端部が前記ケースの下端部より上方に位置している、請求項１又は２に記載のインクジェット記録装置。
【発明の詳細な説明】
【技術分野】
【０００１】
本発明は、インクジェット記録装置、特に、搬送される用紙にインクを吐出するインクジェット記録装置に関する。
【背景技術】
【０００２】
インクジェット記録装置は、搬送される用紙にインクを吐出することで、用紙に画像を形成する装置である。このインクジェット記録装置は、用紙上に画像を形成する画像形成部と、画像形成部に供給する用紙を収納する用紙収納部と、用紙を搬送する用紙搬送部と、画像が形成された用紙を排出する用紙排出部とを備えている。
【０００３】
ここで、画像形成部には複数の記録ヘッドが設けられている。複数の記録ヘッドは、用紙の搬送方向に並べて配置されており、各記録ヘッドは、用紙搬送方向と直交する用紙幅方向に並べられた複数のインク吐出部を有している。そして、このインク吐出部から用紙に対してインクが吐出され、画像が形成される。
【０００４】
ここで、最近のインクジェット記録装置では、印字速度が高速化されてきており、このために用紙に吐出されたインクをすばやく乾燥させることが求められている。すなわち、印字速度が高速化されると、用紙に吐出（印字）されたインクが用紙の排出時までに乾ききれず、次に搬送されてきた用紙の裏を汚したり、また排出された用紙同士がすれることで画像の乱れや汚れが発生したりする場合がある。
【０００５】
以上のような問題を解決するために、例えば特許文献１に示された装置では、隣接する記録ヘッド間に、インク定着時間を短縮するための乾燥部が設けられている。この乾燥部は、高周波加熱乾燥部及びマイクロ波加熱乾燥部に代表される誘電加熱乾燥部が好ましいとされている。
【特許文献１】特開２００６−２４８０２９号公報
【発明の開示】
【発明が解決しようとする課題】
【０００６】
用紙上のインクを素早く乾燥させる方法としては、温風による方法が好ましい。また、温風による乾燥装置を、画像形成部の下流側にのみ配置するのではなく、隣接するヘッド間に配置するのが好ましい。各ヘッド間に設けることによって、乾燥すべきインクの量が１個のヘッドのインク量のみになり、効率よく乾燥をすることができ、乾燥時間を短くすることができる。
【０００７】
しかしながら、各ヘッド間に温風乾燥装置を配置すると、温風がヘッドのインク吐出部にも当たり、インク吐出部の吐出口付近のインクが乾燥しやすくなる。そして、吐出口におけるインクが乾燥すると、インク吐出部の目詰まりの原因になる。
【０００８】
本発明の課題は、用紙に吐出されたインクを効率よく短時間で乾燥させることができるとともに、記録ヘッドのインク吐出部が乾燥するのを防止することにある。
【課題を解決するための手段】
【０００９】
請求項１に係るインクジェット記録装置は、搬送される用紙にインクを吐出する装置であり、複数の記録ヘッドと、用紙搬送部と、乾燥装置と、を備えている。複数の記録ヘッドは用紙の搬送方向に沿って配置され用紙にインクを吐出する。用紙搬送部は用紙を複数の記録ヘッドに対向させつつ搬送する。乾燥装置は、複数の記録ヘッドのそれぞれの用紙搬送方向下流側に配置され、記録ヘッド近傍の空気を吸引するとともに吸引した空気を用紙搬送部によって搬送される用紙に送る。
【００１０】
この装置では、用紙搬送部によって搬送される用紙に対して、記録ヘッドからインクが吐出され、用紙上に画像が形成される。そして、インクが吐出された用紙に対しては、乾燥装置から空気が供給される。この用紙に対する空気の吹き出しによって、用紙に吐出されたインクが乾燥する。
【００１１】
ここでは、各記録ヘッドの用紙搬送方向下流側に乾燥装置が設けられているので、各乾燥装置は１個の記録ヘッドによるインクの量だけを乾燥させればよく、効率よく短時間にインクを乾燥させることができる。また、乾燥装置は、記録ヘッド近傍の空気を吸引し、その吸引した空気を用紙に送るので、空気を循環させることになり、乾燥装置から送り出された空気が記録ヘッドに当たるのを抑えることができる。このため、乾燥装置の空気によって記録ヘッドが乾燥するのを抑えることができ、乾燥したインクによるインク吐出口の目詰まりを防止できる。
【００１２】
請求項２に係るインクジェット記録装置は、請求項１のインクジェット記録装置において、乾燥装置は用紙に送る空気を加熱するためのヒータを有している。
【００１３】
この場合は、空気を用紙に送って乾燥させるだけでなく、加熱された空気、すなわち温風を送ることができるので、さらに効率よく短時間でインクを乾燥させることができる。
【００１４】
請求項３に係るインクジェット記録装置は、請求項２のインクジェット記録装置において、乾燥装置は、ケースと、ファンと、をさらに有している。ケースは、用紙の搬送方向と交差する方向である用紙幅方向に延びるとともに少なくとも用紙と対向する底部に開口を有している。ファンは、ケースの上部に配置され、下方の空気を吸引するとともに吸引した空気を下方に送りだす。そして、ヒータは、ケースの内部において、用紙幅方向に延びるとともに、ケース内部の空間を用紙搬送方向の下流側と上流側に区切るように配置されたプレート状の部材であり、ファンにより吸引された空気はヒータの一方側を流れ、送り出された空気はヒータの他方側を流れる。
【００１５】
この装置では、ファンが回転することにより、ケース底部の開口から空気がケース内部に導入される。導入された空気は、ヒータの一方側を通過し、ファンによりヒータの他方側に送られる。そして、ヒータにより加熱された空気が用紙に当てられる。この場合においても、用紙上のインクを効率よく短時間に乾燥させることができる。
【００１６】
請求項４に係るインクジェット記録装置は、請求項３のインクジェット記録装置において、ヒータは下端部がケースの下端部より上方に位置している。
【００１７】
この場合は、ヒータの下端部がケースの下端部より上方に位置しているので、ヒータの他方側に送り出された空気がヒータの下端を通過して一方側に回り込みやすくなり、空気をより効率よく循環させて、さらに短時間で効率良くインクを乾燥させることができる。
【００１８】
請求項５に係るインクジェット記録装置は、請求項２のインクジェット記録装置において、乾燥装置は、ケースと、ファンと、を有している。ケースは、用紙の搬送方向と交差する方向である用紙幅方向に延びるとともに少なくとも用紙と対向する底部に開口を有した第１導入部と、第１導入部の上部に配置され第１導入部の内部空間とは複数の孔により連通する空間を有する第２導入部と、用紙に対して空気を送りだすための導出部と、を有している。ファンは、ケースの用紙幅方向の端部に配置され、第１及び第２導入部を通じて空気を吸引するとともに、導出部を介して用紙に空気を送りだす。そして、ヒータは、ケースの内部において、ファンと導出部との間に配置されている。
【００１９】
この装置では、ファンが回転すると、ケース底部の開口から空気がケース内部に導入される。ケース内部に導入された空気は、第１導入部及び第２導入部を介し、さらにファン及び導出部を介して用紙に空気が送り出される。このとき、ファンと導出部との間に設けられたヒータによって空気が加熱され、温風が用紙に当てられる。
【００２０】
この場合は、導入部と導出部とによって、導入された空気とファンによって加熱された空気とが分けられているので、より効率よく温風を用紙に当てることができ、さらに短時間で効率よくインクを乾燥させることができる。
【発明の効果】
【００２１】
以上のような本発明では、効率よく短時間でインクを乾燥させることができるとともに、記録ヘッドのインク吐出部を乾燥しにくくすることができる。
【発明を実施するための最良の形態】
【００２２】
［全体構成］
図１は本発明の一実施形態によるインクジェット記録装置としてのインクジェットプリンタ１である。インクジェットプリンタ１は、不図示の外部のコンピュータなどに接続されており、コンピュータから送信された画像情報に基づいて用紙に画像を形成する装置である。このインクジェットプリンタ１は、画像形成部２と、用紙収納部３と、用紙搬送部４と、昇降装置７と、排出部５とを備えている。なお、このインクジェットプリンタ１に使用されるインクは顔料の表面を樹脂コーティングしたものである。
【００２３】
画像形成部２は、画像情報に基づいて用紙上に画像を形成する部分であって、４つのインクジェットヘッド（記録ヘッド）２１と、４つの温風乾燥装置２２とを備えている。
【００２４】
４つのインクジェットヘッド２１は、用紙搬送部４の用紙搬送ベルト４２の上方に並べて配置されており、用紙に画像情報に基づいてインクを吐出する部分である。また、各インクジェットヘッド２１は、それぞれ異なる色のインクを収納しており、収納しているインクを吐出可能なインク吐出部を有している。さらにインクジェットヘッド２１は、一方向（図１の紙面に直交する方向）に延びた部材であって、略直方体状の部材である。インク吐出部には、図示しない複数のインク吐出用の孔（インク吐出口）が設けられている。
【００２５】
４つの温風乾燥装置２２は、各インクジェットヘッド２１の用紙搬送方向下流側に配置されており、インクジェットヘッド２１近傍の空気を吸引するとともに吸引した空気を加熱し、この加熱された空気である温風を、搬送される用紙に対して吹き付ける装置である。詳細の構成については、後述する。
【００２６】
用紙収納部３は、図１に示すように、画像を形成する用紙を収納可能な部分であって、インクジェットプリンタ１の下部に配置されている。また、用紙収納部３は、用紙供給側の先端部上方に、用紙搬送部４に用紙を供給するための用紙供給ローラ３１を有している。用紙供給ローラ３１の上流側に用紙分離ローラ対３２があり、用紙を１枚ずつ用紙搬送部に送り出す。
【００２７】
用紙搬送部４は、用紙収納部３の用紙を画像形成部２に搬送し、画像形成部２で表面に画像が形成された用紙を排出部５に搬送するための部分である。この用紙搬送部４は、用紙を搬送するための複数のローラ４１と、搬送ベルト４２とを備えている。インクジェットヘッドに近い側のローラをレジストローラ対４７とし、レジストローラ対４７で用紙を一旦停止させて搬送姿勢を矯正してから再度インクジェットヘッドに向けて送り出し、レジストローラ対４７とインクジェットヘッドの間に設けられた光学式の用紙先端検知センサ４８が用紙の先端を検出したタイミングを基準にしてインクジェットヘッドからのインクの吐出が制御される。搬送ベルト４２は、インクジェットヘッド２１の下側に配置されており、両端に搬送ベルト４２を循環させるためのローラ４４，４５が配置された無端ベルトである。搬送ベルト４２は、搬送ベルト４２の上方、両側方、下方において搬送ベルト４２に対向し前方及び後方が開放された箱形のベルト支持部材４３にローラ４４，４５を介して支持されている。なお、図１では、理解の容易のため、ベルト支持部材４３のうち搬送ベルト４２の下方側部分のみを示している。また、以上の方向を示す「前後」は図１における左右方向を示している。
【００２８】
昇降装置７は、インクジェットヘッド２１をクリーニングする際や用紙がジャムした際に、用紙搬送部４の搬送ベルト４２を下降させて、インクジェットヘッド２１と搬送ベルト４２との間にスペースを広く確保するための装置である。
【００２９】
この昇降装置７は、図１に示すように、用紙搬送部４の搬送ベルト４２の下方に配置されており、１対の偏心カム７１，７２を有している。１対の偏心カム７１，７２のうち図１において左側に位置する第１偏心カム７１は、軸部７３を中心に回転可能に設けられており、図示しないモータによって回転駆動される。第１偏心カム７１には複数のベアリング７４が設けられており、第１偏心カム７１は、ベアリング７４を介してベルト支持部材４３を支持している。なお、図１では、ベアリング７４の１つのみに符号を付して他は省略している。図１において右側に位置する第２偏心カム７２は、第１偏心カム７１と同様の構造であり、第１偏心カム７１と図１における左右方向に対象な形状を有している。
【００３０】
図１は、搬送ベルト４２が上昇した状態を示しており、この状態から、第１及び第２偏心カム７１，７２が内側向きに回転することにより、搬送ベルト４２が下降する。昇降装置７は、画像形成部２によって用紙上に画像を形成する際には、搬送ベルト４２を図１に示す上昇状態とする。これにより、インクジェットヘッド２１と用紙との間に、印刷に好適な間隙（本実施例では約１ｍｍ）が確保される。
【００３１】
排出部５は、画像形成部２で画像が形成された用紙を排出するための部分であって、インクジェットプリンタ１の上部に配置されている。排出部５は、複数のローラ５１を備えており、画像形成部２で画像が形成された用紙は、用紙搬送部４の搬送ベルト４２及び排出部５のローラ５１によって搬送され、排出口５２から機外へ排出される。
【００３２】
［温風乾燥装置の構成］
前述のように、４つの温風乾燥装置２２のそれぞれは、４つのインクジェットヘッド２１のそれぞれの用紙搬送方向下流側に配置されている。インクジェットヘッド２１と温風乾燥装置２２とを上方から見た配置を図２に示している。また、図３に、１つの温風乾燥装置２２を拡大して示している。なお、図２及び図３において、矢印Ｐが用紙の搬送方向である。ここで、用紙の搬送方向と直交する方向を用紙幅方向と定義する。
【００３３】
温風乾燥装置２２は、図２及び図３に示すように、ほぼ直方体形状のケース８１と、ケース８１の内部に配置されたファン８２と、ヒータ８３と、を有している。ケース８１は、用紙幅方向に延びるとともに用紙と対向する底部に開口８１ａを有している。ファン８２は、空調機等で使用されている周知のクロスフロータイプのファンであり、用紙幅方向に延びている。このファン８２を図示しないモータによって回転駆動することにより、ファン８２の軸の一方側の空気を吸い込み、他方側に吹き出すことが可能である。ヒータ８３は、プレート状に形成されており、ケース８１の内部に縦向きに配置されている。このようなヒータ８３の配置によって、ケース８１内部の空間が、用紙搬送方向の下流側空間（以下、単に下流側空間と記す）８１ｂと上流側空間（以下、端に上流側空間と記す）８１ｃとに区切られている。
【００３４】
ここで、図３から明らかなように、ヒータ８３は、その下端がケース８１の下端よりも上方に位置するように配置されている。このような配置により、図３の矢印（空気の流れを示す矢印）で示すように、ファン８２により下方に吹き出された温風が、ヒータ８３の下端を通過して他方側の下流側空間８１ｂに回り込みやすくなり、空気が循環しやすくなっている。
【００３５】
［印字動作］
外部に接続された不図示のコンピュータから画像情報が送信されると、用紙搬送部４によって用紙収納部３から用紙が画像形成部２に搬送される。具体的には搬送ベルト４２まで搬送される。用紙が搬送ベルト４２上に搬送されると、インクジェットヘッド２１からインクが吐出され、用紙上に画像が形成される。画像が形成された用紙は用紙搬送部４によって排出部５まで搬送され、排出部５から排出される。
【００３６】
なお、規定時間以上画像形成が行われず、インクジェットヘッド２１からのインク吐出が行われなかった場合には、乾燥によるインク吐出不良を防ぐためのインクの強制吐出が実行される。このインクの強制吐出の場合は、乾燥で詰まりかけたインクを押し出す必要があるため、通常より高圧をかけてインクが吐出される。このため、大量のインクが吐出されるので、インク吐出部がインクで汚染される。したがって、このようなインクの強制吐出が行われた後にインク吐出部のクリーニングが行われる。
【００３７】
以上のようなインク吐出部のクリーニングの際には、昇降装置７の１対の偏心カム７１，７２をそれぞれ図１において内側に回転させ、搬送ベルト４２を下降させる。これにより、搬送ベルト４２はインクジェットヘッド２１から離間し、インクジェットヘッド２１と搬送ベルト４２との間にスペースが形成される。このスペースに、図示しないクリーニング装置を挿入し、クリーニング動作を実行する。なお、クリーニング装置は、通常の画像形成時には、インクジェットヘッド２１と対向しない装置奥側の待機位置に退避させられている。
【００３８】
［乾燥動作］
前述のように、画像形成時には、用紙の表面に各インクジェットヘッド２１からインクが吐出される。この用紙上に吐出されたインクは、各インクジェットヘッド２１の用紙搬送方向下流側に配置された温風乾燥装置２２によって乾燥させられる。
【００３９】
すなわち、ファン８２が図示しないモータにより回転させられると、インクジェットヘッド２１近傍の空気が下流側空間８１ｂを通して上方に吸引される。このとき、上方に吸引される空気はその途中でヒータ８３により加熱される。そして、ファン８２を介して空気は他方側の上流側空間８１ｃに吹き出される。この吹き出された空気は、前記同様にヒータ８３により加熱される。したがって、用紙に対して温風が吹き付けられることになり、この温風乾燥機２２の上流側のインクジェットヘッド２１から用紙に吐出されたインクが、温風により乾燥させられる。
【００４０】
このとき、用紙に対して吹き付けられた温風は、ヒータ８３の下端を通過して逆側の下流側空間８１ｂに回り込み、空気が循環することになる。このため、温風がインクジェットヘッド２１のインク吐出部に当たりにくくなり、インク吐出部におけるインク吐出口内のインクが乾燥するのを抑えることができる。したがって、用紙の乾燥のために温風を吹き出しても、この温風によるインク吐出口の乾燥によるインク詰まりを防止することができる。
【００４１】
以上のような乾燥動作が、各インクジェットヘッド２１の用紙搬送方向下流側で実行される。
【００４２】
［特徴］
この装置では、複数のインクジェットヘッド２１のそれぞれの用紙搬送方向下流側に温風乾燥装置２２が設けられているので、各温風乾燥装置２２は１個のインクジェットヘッド２１によるインクの量だけを乾燥させればよい。したがって、効率よく短時間にインクを乾燥させることができる。
【００４３】
また、温風乾燥装置２２は、インクジェットヘッド２１近傍の空気を吸引し、この空気を循環させるので、温風乾燥装置２２から送り出された空気によってインクジェットヘッド２１のインク吐出部が乾燥し、乾燥したインクによる目詰まりが生じるのを防止できる。
【００４４】
さらに、この装置では、ケース８１の内部空間を、プレート状のヒータ８３を縦向きに配置することによって下流側空間８１ｂと上流側空間８１ｃとに分け、しかもヒータ８３の下端をケース８１の下端よりも上方に位置させているので、簡単な構造で空気を循環させやすくなる。このため、用紙上のインクをさらに効率よく短時間で乾燥させることができる。
【００４５】
［温風乾燥装置の他の実施形態］
図４及び図５に、温風乾燥装置の他の実施形態を示す。図４は温風乾燥装置の縦端面を、図５は温風乾燥装置の横断面を示している。なお、温風乾燥装置以外の構成は前記実施形態と同様の構成である。
【００４６】
これらの図に示された温風乾燥装置９０は、ケース９１と、ファン９２と、ヒータ９３と、を有している。
【００４７】
ケース９１は、底部に開口９５ａを有する逆Ｕ字形状の第１導入部９５と、第１導入部９５の上部に形成された直方体形状の第２導入部９６と、導出部９７と、を有している。第１導入部９５及び第２導入部９６は、図４に示すように、用紙幅方向に延びて形成されている。第２導入部９６は、第１導入部９５の内部空間と複数の孔９６ａにより連通する空間を有している。また、図４から明らかなように、第２導入部９６は第１導入部９５より用紙幅方向の長さが長く形成されており、ケース９１の一方側の端部（図４において左側の端部）には、スペース９８が形成されている。このスペース９８により、第２導入部９６と導出部９７とが連通している。導出部９７はパイプ状に形成されており、下面には複数の孔９７ａが長手方向にならんで形成されている。この複数の孔９７ａを介して空気が下方に吹き出される。また、導出部９７の下面には、下方に突出する１対の仕切壁９７ｂが形成されている。１対の仕切壁９７ｂは、孔９７ａを挟んで用紙搬送方向の上流側と下流側とに形成されている。この１対の仕切壁９７ｂにより、第１導入部９５の空気を吸引する空間と導出部９７から空気が吹き出される空間とが仕切られている。また、１対の仕切壁９７ｂの下端は、第１導入部９５の下端よりも上方に位置している。
【００４８】
ファン９２は、ケース９１の端部に形成されたスペース９８に配置されている。このファン９２は図示しないモータにより回転駆動されることにより、第１及び第２導入部９５，９６を通じて空気を吸引するとともに、導出部９７を介して用紙に空気を送りだす。
【００４９】
ヒータ９３は、ケース９１の内部において、ファン９２の下側、すなわちファン９２の空気吹き出し側に、ファン９２に近接して配置されている。
【００５０】
［乾燥動作］
この温風乾燥装置９０では、ファン９２が図示しないモータにより回転させられると、インクジェットヘッド２１近傍の空気が第１導入部９５の内部空間を通して上方に吸引される。そして、第２導入部９６に設けられた複数の孔９６ａを通して、第１導入部９５の空気が第２導入部９６の内部空間に導入される。第２導入部９６に導入された空気は、ファン９２側に吸引され、さらにファン９２を介して下方に吹き出される。ファン９２から吹き出された空気は、ヒータ９３により加熱され、温風として導出部９７に送られる。そして、導出部９７に形成された複数の孔９７ａから下方の用紙に対して温風が吹き付けられ、この温風乾燥機９０の上流側のインクジェットヘッド２１から用紙に吐出されたインクが、温風により乾燥させられる。
【００５１】
このとき、用紙に対して吹き付けられた温風は、１対の仕切壁９７ｂの下端を外側に回り込み、第１導入部９５側に空気が流れる。すなわち、空気が循環することになる。このため、温風がインクジェットヘッド２１のインク吐出部に当たりにくくなり、インク吐出部が乾燥するのを抑えることができる。したがって、前述の実施形態と同様に、用紙の乾燥のために温風を吹き出しても、この温風によるインク吐出部の乾燥によるインク詰まりを防止することができる。
【００５２】
［特徴］
この実施形態によっても、前記実施形態と同様の作用効果が得られる。特にこの実施形態の温風乾燥装置９０では、導出部９７が第１導入部９５の内部に配置されることになるので、導出部９７から吹き出された温風が、インクジェットヘッド２１のインク吐出部により当たりにくくなる。
【００５３】
［他の実施形態］
（ａ）前記各実施形態において、温風の温度を検出するセンサを温風吹き出し側に設け、この温度センサの検出結果により、ヒータへの電力供給を制御するようにしてもよい。具体的には、温風が所定の第１温度に達した場合にはヒータへの電力供給を停止し、第１温度より低い第２温度になった場合にはヒータへの電力供給を再開するようにしてもよい。
【００５４】
（ｂ）前記各実施形態では、乾燥装置としてヒータを有する温風乾燥装置としたが、ヒータを省略してファンによる空気を用紙に当てて乾燥するようにしてもよい。
【図面の簡単な説明】
【００５５】
【図１】本発明の一実施形態に係るインクジェットプリンタの概略構成図。
【図２】インクジェットヘッド及び乾燥装置の平面図。
【図３】インクジェットヘッド及び乾燥装置の断面一部構成図。
【図４】乾燥装置の他の実施形態を示す縦断面図。
【図５】図４に示した乾燥装置の横断面図。
【符号の説明】
【００５６】
１  インクジェットプリンタ（インクジェット記録装置）
２  画像形成部
４  用紙搬送部
２１  インクジェットヘッド
２２，９０  温風乾燥装置
８１，９１  ケース
８２，９２  ファン
８３，９３  ヒータ
９５  第１導入部
９６  第２導入部
９７  導出部
【図１】
0005081648.tif 000002
【図２】
0005081648.tif 000003
【図３】
0005081648.tif 000004
【図４】
0005081648.tif 000005
【図５】
0005081648.tif 000006